(57)【要約】【課題】誤操作が生じにくい穿刺用器具を実現できるようにする。【解決手段】アプリケータは、軸方向に押圧することにより、先端側の第１の位置から基端側の第２の位置へ移動し、押圧を解除することにより第１の位置へ復帰する可動部１０３と、可動部１０３と解除可能に連結されて、第１の位置と第２の位置との間を移動するロッド１０２と、ロッド１０２を第２の位置へ移動させることにより付勢力を蓄積するロッド付勢部材１０４とを備えている。可動部１０３とロッド１０２との連結は、第２の位置において解除可能となり、可動部１０３とロッド１０２との連結を解除することにより、ロッド付勢部材１０４はロッド１０２を第１の位置へ駆動し、可動部に対する軸方向の押圧を解除することにより可動部とロッドとは自動的に連結される。【選択図】図２
2019084072.tif 000002
【特許請求の範囲】
【請求項１】
軸方向に押圧することにより、先端側の第１の位置から基端側の第２の位置へ移動し、押圧を解除することにより前記第１の位置へ復帰する可動部と、
前記可動部と解除可能に連結されて、前記第１の位置と前記第２の位置との間を移動するロッドと、
前記可動部と連結された前記ロッドを前記第２の位置へ移動させることにより付勢力を蓄積するロッド付勢部材と、
前記可動部及び前記ロッドが内部をスライドして前記第１の位置と前記第２の位置との間を移動するように収容されたハウジングとを備え、
前記可動部と前記ロッドとの連結は、前記第２の位置において解除可能となり、前記可動部と前記ロッドとの連結を解除することにより、前記ロッド付勢部材は前記ロッドを前記第１の位置へ駆動し、前記可動部に対する軸方向の押圧を解除することにより前記可動部と前記ロッドとは自動的に連結される、穿刺用器具。
【請求項２】
軸方向の押圧を解除することにより、前記可動部を前記第１の位置へ移動させる可動部付勢部材をさらに備えている、請求項１に記載の穿刺用器具。
【請求項３】
前記ロッドは、内側方向に撓むことができる可撓片を有し、
前記可動部は、前記可撓片と解除可能に係合し、前記ロッドと前記可動部とが連動して移動する状態とする係合部を有し、前記第２の位置において前記可撓片を内側方向に撓ませることにより、前記可撓片と前記係合部との係合を解除する、請求項１又は２に記載の穿刺用器具。
【請求項４】
内側方向に撓んだ前記可撓片を通常位置に復帰させる反発部をさらに備えている、請求項３に記載の穿刺用器具。
【請求項５】
前記ロッドが前記第１の位置にある状態において、前記可動部が前記第２の位置から前記第１の位置へ移動する際に、前記係合部は、前記可撓片を内側に撓ませ、前記反発部は、前記可撓片を前記係合部と再度係合させる、請求項４に記載の穿刺用器具。
【請求項６】
前記反発部は、前記ハウジングに固定された保持部と、前記保持部に保持され、前記可撓片に追随して移動可能な板状部と、前記保持部と前記板状部との間に設けられ、板状部を外側方向に押し戻す少なくとも１つの反発部付勢部材とを有する、請求項４又は５に記載の穿刺用器具。
【請求項７】
前記反発部は、前記板状部の中央部から突出し、端部が前記保持部に設けられた開口に挿入された軸部を有し、
前記反発部付勢部材は、軸部を挟んで両側に設けられている、請求項６に記載の穿刺用器具。
【請求項８】
前記ハウジングは、前記ロッドが前記第２の位置にある際に、前記可撓片を内側方向に撓ませて、前記可撓片と前記係合部との係合を解除できる、ボタンを有している、請求項３〜７のいずれか１項に記載の穿刺用器具。
【請求項９】
前記ハウジングは前記ボタンの操作方向に位置し、前記ボタンの操作量を制限する制限部を有する、請求項８に記載の穿刺用器具。
【請求項１０】
前記可動部は、マイクロニードルを保持したカートリッジが装着される装着部を有し、
前記ロッド及び前記可動部が共に前記第１の位置又は前記第２の位置にある場合に、前記ロッドの先端は、前記装着部に装着されたカートリッジの基端よりも基端側に位置し、
前記ロッドが前記第１の位置にあり、前記可動部が前記第２の位置にある場合に、前記ロッドの先端は、前記可動部に装着されたカートリッジの先端よりも先端側に位置する、請求項１〜９のいずれか１項に記載の穿刺用器具。
【発明の詳細な説明】
【技術分野】
【０００１】
本開示は、穿刺用器具に関する。
【背景技術】
【０００２】
穿刺操作を容易に行うために、皮膚に押し当てた状態で、ボタンを押すことにより自動的に穿刺が行われる穿刺用器具が開発されている。このような穿刺用器具の基本的な構成は、ロッドと、ロッドを駆動するバネとを有し、ボタン操作等により付勢したバネを開放することによりロッドを勢い良く押し出し、穿刺を行う。
【０００３】
近年、マイクロニードルを用いた経皮投与が検討されている。マイクロニードルは長さが数μｍ程度の微小な針であり、表面又は内部に薬剤を保持していたり、薬剤そのものにより形成されていたりする。マイクロニードルが固定された貼付シートを皮膚に貼り付けると、マイクロニードルは、患者にほとんど痛みを感じさせることなく、角質層を越えて表皮に達することができる。このため、従来のテープ製剤やパッチ製剤と比べて、効率良く薬剤を投与することが可能となる。
【０００４】
マイクロニードルの場合、ほとんど痛みを伴わないため、患者自らが穿刺を行うことが想定される。このため、マイクロニードルの穿刺用器具であるアプリケータは、特に、容易に操作できるようにすることが求められる。マイクロニードルは、皮膚に触れても通常の穿刺針のような激しい痛みは生じない。しかし、マイクロニードルであっても皮膚に適用する際には、恐怖を感じる場合がある。このため、使用者がこの恐怖心を克服した後、自ら操作できることが好ましい。これは、通常の穿刺針についての穿刺用器具においても同様である。
【０００５】
このため、通常の穿刺用器具は、バネに一定の付勢力を蓄える操作をするとロックがかかり、使用者自らがボタン等を操作することによりロックを解除して穿刺動作を行う機構を採用している（例えば、特許文献１を参照。）。
【先行技術文献】
【特許文献】
【０００６】
【特許文献１】特開２０１７−０２３４０４号公報
【特許文献２】特表２０１０−５０１２１１号公報
【発明の概要】
【発明が解決しようとする課題】
【０００７】
しかしながら、従来のアプリケータを含む穿刺用器具は、ロックがかかると穿刺可能な状態が維持され、装置を自由に移動させたり、そのまま放置したりすることができる。このため、穿刺位置に正しく配置されていない状態で穿刺操作をしてしまう誤操作を引き起こしやすい。皮膚に押し当てていないとロックを解除できないような機構を有する器具も検討されているが（例えば、特許文献２を参照。）、穿刺可能な状態で器具を移動させたり放置したりすることが可能であり、やはり誤操作をするリスクが高い。さらに、従来の穿刺用器具はロックをかけるための準備操作が必要である。準備操作を忘れてバネに付勢力を蓄えると、ロックがかからずロッドが中途半端に駆動してしまうという問題がある。また、準備操作を忘れていることに気がつかず、無理矢理ロックをかけようとして、器具を壊してしまうおそれもある。一方、準備操作なしに自動的にロックがかかるような機構とした場合、意図せずにロックがかかってしまうおそれがある。さらに、手動でロックをかける構成とした場合には、必要な操作の数を減らすことができないばかりか、付勢力が十分に蓄積されていない位置でロックをしてしまうおそれもある。
【０００８】
本開示の課題は、誤操作が生じにくい穿刺用器具を実現できるようにすることである。
【課題を解決するための手段】
【０００９】
本開示の穿刺用器具の一態様は、軸方向に押圧することにより、先端側の第１の位置から基端側の第２の位置へ移動し、押圧を解除することにより前記第１の位置へ復帰する可動部と、可動部と解除可能に連結され、第１の位置と第２の位置との間を移動するロッドと、可動部と連結されたロッドを第２の位置へ移動させることにより付勢力を蓄積するロッド付勢部材と、可動部及びロッドが内部をスライドして第１の位置と第２の位置との間を移動するように収容されたハウジングとを備え、可動部とロッドとの連結は、第２の位置において解除可能となり、可動部とロッドとの連動を解除することにより、ロッド付勢部材はロッドを第１の位置へ駆動し、可動部に対する軸方向の押圧を解除することにより可動部とロッドとは自動的に連結される。
【００１０】
穿刺用器具の一態様によれば、押圧を解除することにより前記第１の位置へ復帰する可動部を有しているため、ロッド付勢部が付勢された状態で器具の位置を移動させたり、放置したりすることは困難である。また、可動部が押圧されて、第２の位置となっていなければロッドが駆動されず、誤操作を生じにくくすることができる。また、ロッドが第１の位置にある状態で、可動部に対する軸方向の押圧を解除することにより可動部とロッドとは自動的に連結されるため、次の穿刺操作の前に、面倒な準備操作が不要であり、操作ミスを低減することができる。
【００１１】
穿刺用器具の一態様において、軸方向の押圧を解除することにより、可動部を第１の位置へ移動させる可動部付勢部材を有する。
【００１２】
穿刺用器具の一態様において、ロッドは、内側方向に撓むことができる可撓片を有し、可動部は、可撓片と解除可能に係合し、ロッドと可動部とが連動して移動する状態とする係合部を有し、第２の位置において可撓片を内側方向に撓ませることにより、可撓片と係合部との係合を解除するようにできる。
このような構成とすることにより、簡単な構成で、所定の位置においてのみロッドが発射されるようにできる。
【００１３】
穿刺用器具の一態様は、内側方向に撓んだ可撓片を通常位置に復帰させる反発部をさらに備えていてもよい。
【００１４】
このような構成とすることにより、繰り返し使用した場合に可撓片が元に戻らなくなるような不具合が生じにくくなり、安定して複数回使用することができるようになる。
【００１５】
穿刺用器具の一態様において、ロッドが第１の位置にある状態において、可動部が第２の位置から第１の位置へ移動する際に、係合部は、可撓片を内側に撓ませ、反発部は、可撓片を係合部と再度係合させるようにできる。
【００１６】
このような構成とすることにより、可撓片と係合部との係合が解除された後に、可撓片と係合部とを再度係合させることができる。その結果、穿刺用器具を安定して再使用できる。
【００１７】
穿刺用器具の一態様において、反発部は、ハウジングに固定された保持部と、保持部に保持され、可撓片に追随して移動可能な板状部と、保持部と板状部との間に設けられ、板状部を外側方向に押し戻す少なくとも１つの反発部付勢部材とを有していてもよい。
【００１８】
このような構成とすることにより、繰り返し使用した場合に可撓片が元に戻らなくなるような不具合が生じにくくなり、安定して複数回使用することができるようになる。
【００１９】
この場合において、反発部は、板状部の中央部から突出し、端部が保持部に設けられた開口に挿入された軸部を有し、反発部付勢部材は、軸部を挟んで両側に設けられていてもよい。このような構成とすることにより、板状部の移動の自由度が高くなり、可撓片の撓みへの追随が容易となる。
【００２０】
穿刺用器具の一態様において、ハウジングは、ロッドが第２の位置にある際に、可撓片を内側方向に撓ませて、可撓片と係合部との係合を解除できる、操作ボタンを有していてもよい。このような構成とすることにより、ロッドの発射を確実に行うことができる。
【００２１】
穿刺用器具の一態様において、可動部は、マイクロニードルを保持したカートリッジが装着される装着部を有し、ロッド及び可動部が共に第１の位置又は第２の位置にある場合に、ロッドの先端は、装着部に装着されたカートリッジの基端よりも基端側に位置し、ロッドが第１の位置にあり、可動部が第２の位置にある場合に、ロッドの先端は、可動部に装着されたカートリッジの先端よりも先端側に位置するようにできる。
【００２２】
このような構成にすることにより、マイクロニードルがカートリッジの先端から突き出ることがなく、安全に操作できる。
【発明の効果】
【００２３】
本開示の穿刺用器具によれば、誤操作を生じにくくすることができる。
【図面の簡単な説明】
【００２４】
【図１】一実施形態に係るアプリケータを示す斜視図である。
【図２】一実施形態に係るアプリケータを示す断面図である。
【図３】一実施形態に係るアプリケータにカートリッジを装着した状態を示す断面図である。
【図４】一実施形態に係るアプリケータが発射可能となった状態を示す断面図である。
【図５】一実施形態に係るアプリケータのロッドと可動部との係合を解除した状態を示す断面図である。
【図６】一実施形態に係るアプリケータが発射された状態を示す断面図である。
【図７】一実施形態に係るアプリケータの復帰途中の状態を示す断面図である。
【発明を実施するための形態】
【００２５】
図１及び図２に示すように、本実施形態の穿刺用器具はマイクロニードルを皮膚表面に適用するアプリケータであり、ハウジング１０１と、ハウジング１０１内に収容されたロッド１０２と、可動部１０３と、ロッド付勢部材１０４とを含む発射機構１００を有している。
【００２６】
本実施形態においてロッド１０２は、先端側に押圧面が設けられた円筒状であり、先端側の第１の位置と、基端側の第２の位置との間を移動可能である。ロッド１０２には、ハウジング１０１の内側方向に撓むことができる可撓片１２１が設けられている。可動部１０３は、可撓片１２１と解除可能に係合する係合部１３１を有し、係合状態においてロッド１０２と共に移動する。
【００２７】
本実施形態において、可撓片１２１は、ロッド１０２の側面の一部が、先端側が固定端となり、基端側が自由端となるように、スリットにより他の部分から切り離されて形成されている。可撓片１２１の自由端側には、外方向へ張り出したヘッド部１２５が設けられており、ヘッド部１２５の先端側外縁部には、可動部１０３の係合部１３１と係合する段差状部１２６が設けられている。
【００２８】
本実施形態において、可動部１０３は、ロッド１０２を内側に収容する円筒状である。可動部１０３の係合部１３１は、可動部１０３の本体から基端側に突出した逆Ｌ字状の部材であり、２本のＬ字状の支柱部１３２と、２本の支柱部１３２の端部同士を接続する腕部１３３とを有している。２本の支柱部１３２の間の部分は、可撓片１２１のヘッド部１２５と干渉しないように、軸方向に延びる空間が設けられており、係合部１３１は、ロッド１０２が発射された後にロッド１０２の先端側への前進を妨げない。このため、可動部１０３の本体はヘッド部１２５よりも先端側に位置するが、腕部１３３は、ヘッド部１２５よりも先端側の位置と基端側とを取り得る。ヘッド部１２５よりも腕部１３３が先端側に位置し、可撓片１２１が通常位置である場合は、腕部１３３は段差状部１２６と係合するように設けられている。
【００２９】
可動部１０３の先端部には、装着部１３５が設けられており、図２に示すように、マイクロニードル２１２を保持したカートリッジ２０１が装着される。本実施形態のカートリッジ２０１は、円筒形の枠体２１１と、枠体２１１に保持された粘着シート２１３と、粘着シート２１３の表面に配置された複数のマイクロニードル２１２とを有している。ロッド１０２と、それに係合した可動部１０３とが第１の位置にある場合、ロッド１０２の先端は、カートリッジ２０１の装着の妨げとならないように、装着部１３５に装着されたカートリッジ２０１の基端よりも基端側に位置している。装着部１３５は装着部１３５の内周面に設けられた嵌合突部１３６と、可動部１０３の先端部外周面の設けられた嵌合凹部１３７が嵌合することにより、可動部１０３に固定されており、可動部１０３と共に装着部１３５が第１の位置と第２の位置の間を連動するように構成されている。可動部１０３と装着部１３５は、他の方法により固定することができる。また、可動部１０３と装着部１３５とを一体に成形することもできる。
【００３０】
図３に示すように、装着部１３５に装着されたカートリッジ２０１の先端部を皮膚表面２２１に押し当てると、可動部１０３とそれに係合したロッド１０２とは、一体となって、第１の位置から第２の位置へと移動する。装着部１３５を含む可動部１０３は、外径がハウジング１０１の内径と略一致しており、ハウジング１０１内周面に沿って軸方向に移動可能である。ロッド付勢部材１０４は、ロッド１０２の内腔に配置されており、ロッド１０２が第１の位置から第２の位置へ移動すると圧縮され、付勢力が蓄積される。
【００３１】
ロッド１０２及び可動部１０３が第２の位置に移動すると、可撓片１２１のヘッド部１２５が、ハウジング１０１の側面に設けられたボタン１１２と当接する。このため、図４に示すように、ボタン１１２を押圧すると、可撓片１２１を内側方向に撓ませることができる。可撓片１２１を内側方向に撓ませると、ヘッド部１２５の先端側外縁部に設けられている段差状部１２６と、腕部１３３との係合が解除される。これにより、ロッド１０２は、ロッド付勢部材１０４に蓄積された付勢力により、第１の位置に向かって発射される。ロッド１０２の先端部の外径は、可動部１０３の先端部の内径と略一致しており、ロッド１０２は可動部１０３の内周面に沿って軸方向に移動可能である。段差状部１２６の位置は先端側外縁部に限定されたものではなく、可撓片１２１を撓めた際に段差状部１２６と、腕部１３３との係合が解除されるように構成されていればよい。一方、可動部１０３は先端部が皮膚表面２２１に押圧されているため、第２の位置を維持する。本実施形態の装置においては、ヘッド部１２５を含む、ロッド１０２の基端部において鍔状に設けられた部分が、ハウジング１０１の内面に設けられたフランジ部１１５と当接することにより、ロッド１０２が第１の位置よりも先端側に移動しないように規制している。本実施形態において、ボタン１１２は一端がハウジング１０１に固定され、他端が押圧によって軸と交差する方向に移動できるように、ハウジング１０１の一部を切り欠いて構成されている。しかし、ボタン１１２の態様は上記に限定されるものではない。
【００３２】
ハウジング１０１の内周面には、軸方向に延びるガイド溝１１８が鍔部１１５に至るように設けられている。ロッド１０２のヘッド部１２５の反対側にはガイド突起１２８が設けられている。ガイド突起１２８はガイド溝１１８と係合しており、ロッド１０２が軸方向に移動する際に、ガイド突起１２８はガイド溝１１８に沿って摺動する。このように構成することにより、ロッド１０２がハウジング１０１の中心に対して径方向に回転しないようにすることができる。その結果、安定した穿刺操作が可能となる。ガイド溝１１８及びガイド突起１２８は、このような構成に限らず、例えばヘッド部１２５に対して反対側に設けられていなくてもよい。また、ハウジング１０１の内周面にガイド突起を有し、ロッド１０２のヘッド部にガイド溝が設けられていてもよい。また、ロッド１０２の回転を防止する機構を、ハウジング１０１に設けられたガイド凸部と、ロッド１０２に設けられたガイド溝とすることもできる。
【００３３】
図５に示すように、ロッド１０２が発射されるとその先端は、カートリッジ２０１の先端よりも先端側に移動し、粘着シート２１３と共にマイクロニードル２１２を枠体２１１から分離させ、皮膚表面２２１に押し当てる。これにより、マイクロニードル２１２による穿刺が行われる。但し、ロッド１０２が発射された後の先端は、カートリッジ２０１の先端よりも先端側に移動する必要はなく、粘着シート２１３と共にマイクロニードル２１２を枠体２１１から分離させ、皮膚表面２２１に押し当てるように構成されていればよい。
【００３４】
本実施形態のアプリケータは、ハウジング１０１内に設けられ、内側方向に撓んだ可撓片１２１を通常位置に復帰させる反発部１０６を有している。反発部１０６は、ハウジング１０１に固定された保持部１６１と、保持部１６１に保持され、可撓片１２１に追随して内側方向に移動する板状部１６２と、保持部１６１と板状部１６２との間に設けられ、板状部１６２を外側方向に押し戻す反発部付勢部材１６３とを有している。
【００３５】
ロッド１０２が第１の位置に移動すると、ボタン１１２によりヘッド部１２５に加えられていた押圧力が解除されるため、可撓片１２１は撓んでいない通常位置に復帰する。本実施形態においては、反発部１０６によって可撓片１２１の復帰が補助される。このため、繰り返し使用した場合にも、可撓片１２１の通常位置への復帰が速やかに行われる。また、可撓片１２１の固定端に加わる力を分散させることができ、可撓片１２１の疲労による破壊を生じにくくすることができる。また、反発部１０６を有することでボタン１１２を必要以上に押し込む等といった過剰な操作を防止できる。但し、反発部１０６は必要に応じて設ければよい。
【００３６】
本実施形態において、反発部付勢部材１６３は、保持部１６１に設けられた保持部側突起１６６と、板状部１６２に設けられた板状部側突起１６７との間に挟み込まれている。但し、反発部付勢部材１６３が保持部１６１と板状部１６２との間に固定できれば、他の構成としてもよい。
【００３７】
反発部１０６の保持部１６１は、反発部１０６が動かないように、ハウジング１０１に固定されている。本実施形態においては、保持部１６１の基端部に筒状の固定部１６８が設けられており、固定部１６８はハウジング１０１の基端に固定されたキャップ１０７に設けられた筒状の反発部固定用突起１７１に内嵌している。
【００３８】
また、保持部１６１の先端部には、ロッド付勢部材１０４を固定するための台座１７５
が設けられている。ロッド付勢部材１０４は、台座１７５に設けられた台座側突起１７６と、ロッド１０２の底面に設けられたロッド側突起１２９との間に挟み込まれている。
【００３９】
ハウジング１０１はボタン１１２の操作方向に位置し、ボタン１１２の操作量を制限する制限部１１３を有している。制限部１１３を設けることにより、ボタン１１２を必要以上に押し込む等といった過剰な操作を防止できる。本実施形態において、制限部１１３は、キャップ１０７からボタン１１２の裏面と当接する位置まで延びる突起片としたが、ボタン１１２の操作方向への移動量を制限できればよい。例えば、制限部１１３をハウジング１０１の内周面から延在するように構成してもよい。  図６に示すように、カートリッジ２０１の先端を皮膚表面２２１に押し当てるのを止めると、可動部１０３は可動部付勢部材１３８の付勢力により、第２の位置から第１の位置へと移動する。これにより、腕部１３３は、ヘッド部１２５に基端側から接近する。ヘッド部１２５の基端側外縁部には、斜めの切り欠き１２７が設けられているため、基端側から接近した腕部１３３は、ヘッド部１２５を内側方向に押圧し、可撓片１２１は内側方向に撓む。
【００４０】
これにより、腕部１３３はヘッド部１２５の位置を超えて先端側に移動し、ヘッド部１２５の先端側に設けられた段差状部１２６と係合し、可撓片１２１は通常位置に復帰する。この際にも、反発部１０６が可撓片１２１の復帰を補助する。
【００４１】
本実施形態において、反発部１０６は板状部１６２の中央部から突出した軸部１６５を有し、軸部１６５は保持部１６１に設けられた開口部１６９に挿入されている。開口部１６９は軸部１６５の外径と略一致又はそれよりも大径となるように設けられており、軸部１６５の末端は軸部１６５の他の部分よりも大径に設けられており、開口部１６９から抜け出ることが防止されている。また、反発部付勢部材１６３が軸部１６５を挟んで両側に設けられている。これにより、板状部１６２は、ハウジング１０１の軸と交差する方向に平行移動するだけでなく、傾斜した状態となることができる。従って、可撓片１２１の撓みに追随することができ、可撓片１２１の内側方向への撓み及び通常位置への復帰をより適切に補助することができる。
【００４２】
このような構成に限らず、反発部１０６は、可撓片１２１のハウジング内側方向への撓みを外側に付勢するように構成されていればよい。例えば、板状部１６２を設けず、可撓片１２１に反発部付勢部材が直接連結しているようにすることもできる。
【００４３】
反発部を設けることにより、可撓片１２１の通常位置への復帰を、反発部１０６が補助することにより可撓片１２１の劣化が生じにくくなるという利点が得られる。これにより、安定して繰り返し使用が可能な発射機構を実現できる。
【００４４】
本実施形態において、ロッド１０２は円筒状としたがこれに限らず第１の位置と第２の位置との間を移動できればどのような形状としてもよい。例えば、端面が四角形又は六角形等の角筒状とすることができる。また、ロッド１０２は筒状でなく中実な構造とすることもできる。さらに、ロッド１０２の押圧面が平坦面である例を示したが、押圧面の形状は用途に応じて選択することができる。
【００４５】
可撓片１２１は、ロッドが筒状の場合には、ロッドの側面にスリットを設けることにより、容易に可撓片が形成できるが、他の方法により可撓片を形成することもできる。例えば、ロッド１０２の側面等に板状の部材の一端を固定することにより可撓片を形成することもできる。
【００４６】
可動部１０３の係合部１３１は、可撓片１２１と解除可能に係合することができればどのような構成としてもよい。また、可動部１０３に可撓片を設け、ロッド１０２の可動部の可撓片と係合する係合部を設けることもできる。
【００４７】
本実施形態の発射機構１００は、ロッド１０２を発射可能な第２の位置にロックするロック機構を有しておらず、発射可能な状態でアプリケータの位置を移動させたり、発射可能な状態のまま放置したりすることは、現実問題としてできない。このため、正しい穿刺位置以外の場所で発射操作をしてしまうような誤操作が生じにくい。また、ロックがかけられた状態で装置が放置されることがないため、安全性が高いだけでなく、バネに長期間負荷がかかるようなリスクも避けることができる。
【００４８】
さらに、本実施形態の発射機構１００は、第２の位置にロックするための準備操作が不要である。しかし、第２の位置以外の位置においては、ボタン１１２を押圧しても、可撓片１２１のヘッド部１２５がボタン１１２と当接しないため、空押しとなる。このため、ロッド１０２が発射されることがなく、ロック機構がなくても、十分な付勢力が蓄積されていない状態でロッド１０２が発射されてしまう誤操作が生じない。
【００４９】
本実施形態のアプリケータは、ロッド１０２及び可動部１０３が共に第１の位置又は第２の位置にある場合に、ロッド１０２の先端は、装着部１３５に装着されたカートリッジ２０１の基端よりも基端側に位置し、ロッド１０２が第１の位置にあり、装着部１０３が第２の位置にある場合に、ロッド１０２の先端は、装着部１３５に装着されたカートリッジ２０１の先端よりも先端側に位置する。これにより、カートリッジ２０１を装着する際には、ロッド１０２が邪魔にならず、穿刺の際には確実にマイクロニードル２１２を皮膚に押し当てることができる。
【００５０】
ハウジング１０１、ロッド１０２、可動部１０３及び反発部１０６は、特に限定されないが樹脂成形品とすることができる。可動部１０３の装着部１３５は、可動部１０３の他の部分と一体に形成しても、別体として形成した後組み立ててもよい。ロッド付勢部材１０４、反発部付勢部材１６３、及び可動部付勢部材１３８は、特に限定されないが、金属製のコイルバネ等とすることができる。なお、可動部付勢部材１３８は必須の構成ではない。例えば、第２の位置において可動部１０３とロッド１０２との連動が解除された後に可動部１０３の自重によって第１の位置に移動するような構成にすることができる。
【００５１】
本実施形態の発射機構は、マイクロニードルのアプリケータに限らず、皮下及び皮内の注入における穿刺を行う穿刺用器具等として使用することもできる。
【産業上の利用可能性】
【００５２】
本開示の発射機構を有する穿刺用器具は、誤操作が生じにくく、医療用の穿刺用器具として有用である。
【符号の説明】
【００５３】
１００      発射機構
１０１      ハウジング
１０２      ロッド
１０３      可動部
１０４      ロッド付勢部材
１０６      反発部
１０７      キャップ
１１２      ボタン
１１３      制限部
１１５      フランジ部
１１８      ガイド溝
１２１      可撓片
１２５      ヘッド部
１２６      段差状部
１２７      切り欠き
１２８      ガイド突起
１２９      ロッド側突起
１３１      係合部
１３２      支柱部
１３３      腕部
１３５      装着部
１３６      嵌合凸部
１３７      嵌合凹部
１３８      可動部付勢部材
１６１      保持部
１６２      板状部
１６３      反発部付勢部材
１６５      軸部
１６６      保持部側突起
１６７      板状部側突起
１６８      固定部
１７１      反発部固定用突起
１７５      台座
１７６      台座側突起
２０１      カートリッジ
２１１      枠体
２１２      マイクロニードル
２１３      粘着シート
２２１      皮膚表面
【図１】
2019084072.tif 000003
【図２】
2019084072.tif 000004
【図３】
2019084072.tif 000005
【図４】
2019084072.tif 000006
【図５】
2019084072.tif 000007
【図６】
2019084072.tif 000008
【図７】
2019084072.tif 000009